(57)【要約】【課題】簡単に通過電線を通すことのできるグロメットインナをを提供する。【解決手段】パネルの貫通孔に装着され、外周側に軟質材料よりなるグロメットが嵌合され、内周側にコネクタが装着される硬質材料製の筒状体であり、自身の周壁部１１に、パネルを貫通する方向に通過する通過電線３００の挿入孔２０が形成されたグロメットインナ１０において、通過電線３００の挿入孔２０を画成すると共にコネクタの装着空間１２を画成する内側隔壁１４に、コネクタの装着空間１２側から挿入孔２０に対して通過電線３００を挿入し得るクランク形状のスリット１５を形成した。【選択図】図１
2007143371.tif 000002
【特許請求の範囲】
【請求項１】
パネルの貫通孔に装着され、外周側に軟質材料よりなるグロメットが嵌合され、内周側にコネクタが装着される硬質材料製の筒状体であり、自身の周壁部に、前記パネルを貫通する方向に通過する通過電線の挿入孔が形成されたグロメットインナにおいて、
前記通過電線の挿入孔を画成すると共に前記コネクタの装着空間を画成する内側隔壁に、前記コネクタの装着空間側から前記挿入孔に対して前記通過電線を挿入し得るスリットを形成したことを特徴とするグロメットインナ。
【請求項２】
請求項１に記載のグロメットインナであって、
前記スリットが、前記コネクタの装着空間側から見てクランク形状に形成されていることを特徴とするグロメットインナ。
【発明の詳細な説明】
【技術分野】
【０００１】
本発明は、パネルの貫通孔に装着され、外周側にグロメットが嵌合され、内周側にコネクタが装着されるグロメットインナに関するものである。
【背景技術】
【０００２】
従来、パネルの貫通孔にコネクタを装着する場合、防水性を考慮してパネルの貫通孔にグロメットを装着し、そのグロメットの内部にコネクタを装着する例がある（例えば、特許文献１参照）。
【０００３】
このような例では、グロメットによって防水性を確保しながら、コネクタを介してパネルの一方側と他方側の電線を接続することになるが、コネクタで接続しない単なる通過電線を、グロメットの内側を通して、パネルの一方側から他方側へ引き延ばす場合もある。
【０００４】
このような場合は、グロメットに対してのコネクタの装着性を考慮して、硬質材料製の筒状のグロメットインナをグロメットの内周側に配設し、これをパネルの貫通孔に装着すると共に、そのグロメットインナの周壁部に形成した挿入孔に通過電線を通して、その上で、挿入孔の内側の隔壁で画成された空間に、コネクタを装着するようにしている。
【特許文献１】特開２００１−２８３９７７号公報
【発明の開示】
【発明が解決しようとする課題】
【０００５】
ところで、従来では、通過電線をグロメットインナの周壁部に設けた挿入孔に通すに当たり、挿入孔の一端側の開口から他端側の開口へ向かって通過電線を通しているのが普通であるが、挿入孔はそれ自体が小さいものであるため、その作業が非常にやりにくいという問題があった。
【０００６】
本発明は、上記事情を考慮し、より簡単に通過電線を通すことのできるグロメットインナを提供することを目的とする。
【課題を解決するための手段】
【０００７】
請求項１の発明のグロメットインナは、パネルの貫通孔に装着され、外周側に軟質材料よりなるグロメットが嵌合され、内周側にコネクタが装着される硬質材料製の筒状体であり、自身の周壁部に、前記パネルを貫通する方向に通過する通過電線の挿入孔が形成されたグロメットインナにおいて、前記通過電線の挿入孔を画成すると共に前記コネクタの装着空間を画成する内側隔壁に、前記コネクタの装着空間側から前記挿入孔に対して前記通過電線を挿入し得るスリットを形成したことを特徴としている。
【０００８】
請求項２の発明は、請求項１に記載のグロメットインナであって、前記スリットが、前記コネクタの装着空間側から見てクランク形状に形成されていることを特徴としている。
【発明の効果】
【０００９】
請求項１の発明によれば、通過電線の挿入孔とコネクタの装着空間を画成する内側隔壁に形成したスリットを通して、コネクタの装着空間側から通過電線を挿入孔に挿入することができるので、小さな挿入孔の開口端から電線を挿入するのと比べて、通過電線の挿入作業が簡単にできるようになり、作業性が向上する。
【００１０】
請求項２の発明によれば、前記スリットを、コネクタの装着空間側から見てクランク形状に形成したので、挿入するときに電線を多少曲げながら、そのクランク形状のスリットを通して挿入孔に挿入すれば、その後は電線が自然に直線状に延びることで、抜けにくくなる。従って、後からコネクタをグロメットインナの内側に装着する時に、せっかく先に挿入孔に入れた通過電線が再びコネクタの装着空間側に出てしまって、コネクタの挿入の邪魔になるというようなことがない。この場合、スリットの間隔を、曲げた状態の通過電線が通るだけの間隔に設定しておけば、電線は自然状態で直線状に延びて簡単には小さく曲がらないので、抜ける心配はない。
【発明を実施するための最良の形態】
【００１１】
以下、本発明の実施形態を図面を参照しながら説明する。
【００１２】
図１は実施形態のグロメットインナの斜視図、図２はグロメット装着側と反対側から見たグロメットインナの正面図、図３は図２のＩＩＩ−ＩＩＩ矢視断面図、図４はグロメットインナのスリットを通して通過電線を挿入孔に入れる場合の作業工程図である。また、図５はグロメットインナの外周部にグロメットを嵌合してパネルの貫通孔に装着した状態を示す側面図、図６は図５のＶＩ−ＶＩ矢視断面図、図７は図５のＶＩＩ−ＶＩＩ矢視断面図、図８は図６のＶＩＩＩ−ＶＩＩＩ矢視断面図、図９は図６のＩＸ−ＩＸ矢視断面図、図１０は図５のＸ−Ｘ矢視断面図である。
【００１３】
このグロメットインナ１０は、図８に示すように、パネルＰの貫通孔Ｐａに装着され、外周側に軟質材料（ゴム等）よりなるグロメット７０が嵌合され、内周側にコネクタ１００が装着される硬質材料（硬質樹脂）製の筒状体であり、他の図にも示すように、自身の周壁部１１の対向する２箇所に、パネルＰを貫通する方向に通過する通過電線３００の挿入孔２０が形成されたものである。
【００１４】
通過電線３００の挿入孔２０は、外側隔壁１３と内側隔壁１４の間に確保されており、何本かの電線が挿入できるような大きさに形成されている。内側隔壁１４は、通過電線３００の挿入孔２０を画成すると共に、コネクタ１００を装着するための角形の装着空間１２を画成するものであり、その内側隔壁１４には、コネクタの装着空間１２側から挿入孔２０に対して通過電線３００を挿入し得るように、スリット１５が形成されている。このスリット１５は、コネクタの装着空間１２側から見てクランク形状に形成されており、図３に示すように、一端側のスリット部１５ａと他端側のスリット部１５ｂとが内側隔壁１４の周方向にずれて形成されている。
【００１５】
また、グロメットインナ１０の周壁部１１には、その外周部に、グロメット７０のフランジ部７５の嵌合する鍔部１７が突設されると共に、パネルＰの貫通孔Ｐａの周縁に対して係合する係止突起１８と、パネルＰの貫通孔Ｐａの周縁に対してロックする可撓ロック爪１９とが設けられている。
【００１６】
グロメットインナ１０をパネルＰの貫通孔Ｐａに装着する場合は、グロメットインナ１０をやや傾けながら、係止突起１８のある側から先に貫通孔Ｐａに潜らせ、次いで、可撓ロック爪１９のある側を貫通孔Ｐａに押し込む。そうすると、可撓ロック爪１９が撓みながら貫通孔Ｐａの周縁に係合ロックする。
【００１７】
一方、グロメット７０には、前述のフランジ部７５の前面にリップ状のシール部７６が設けられ、グロメット７０を装着した状態でグロメットインナ１０をパネルＰの貫通孔Ｐａに装着することにより、シール部７６がパネルＰの板面に圧接して、シール性を発揮するようになっている。また、フランジ部７５の後側には、グロメットインナ１０の周壁部１１の外周に嵌合する嵌合周壁７１が設けられ、その後側には袋壁７２が設けられ、その更に後側に筒状の電線挿通部７３が設けられている。この場合、電線挿通部７３は、図１０に示すように、コネクタ１００の中心部から偏心させた位置に設けられている。
【００１８】
このグロメットインナ１０を使用する場合は、グロメットインナ１０の外周にグロメット７０を装着し、その状態でパネルＰの貫通孔Ｐａにグロメットインナ１０を装着する。また、それと前後して、通過電線３００をグロメットインナ１０の挿入孔２０に挿入する。そして、その後からグロメットインナ１０の装着空間１２にコネクタ１００を挿入して係合させる。
【００１９】
ところで、グロメットインナ１０の挿入孔２０に通過電線３００を挿入する際に、挿入孔２０とコネクタの装着空間１２を画成する内側隔壁１４に形成したスリット１５を通して、コネクタの装着空間１２側から通過電線３００を挿入孔２０に挿入することができるので、小さな挿入孔２０の開口端から電線３００を挿入するのと比べて、通過電線３００の挿入作業が簡単にできるようになり、作業性が向上する。
【００２０】
特に、スリット１５は、コネクタの装着空間１２側から見てクランク形状に形成してあるので、図４（ａ）、（ｂ）に示すように、挿入するときに電線３００を多少曲げながら、そのクランク形状のスリット１５を通して挿入孔２０に挿入すれば、その後は図４（ｃ）に示すように、電線３００が自然に直線状に延びることで、抜けにくくなる。従って、後からコネクタ１００をグロメットインナ１０の内側に装着する時に、せっかく先に挿入孔２０に入れた通過電線３００が再びコネクタの装着空間１２側に出てしまって、コネクタ１００の挿入の邪魔になるというようなことがない。この場合、スリット１５の間隔を、曲げた状態の通過電線３００が通るだけの間隔に設定しておけば、電線３００は自然状態で直線状に延びて簡単には小さく曲がらない性質を持つので、抜ける心配はない。
【００２１】
また、図４（ｄ）に示すように、裸電線以外に複数本（この場合は２本）の電線３０１が入った細径のチューブ４００等をクランク形状のスリット１５を通して挿入孔２０に挿入して係止すれば、結果的に複数の電線３０１も保持することができる。
【００２２】
さらに、図４（ｅ）に示すように、裸電線以外に複数本（この場合は２本）の電線３０１が入った太径のチューブ４００′等をスリット１５を通して挿入孔２０に挿入して係止すれば、結果的に複数の電線３０１も保持することができる。この場合には、他端側のスリット部１５ｂがないものを用いる。
【図面の簡単な説明】
【００２３】
【図１】本発明の実施形態のグロメットインナの斜視図である。
【図２】グロメット装着側と反対側から見たグロメットインナの正面図である。
【図３】図２のＩＩＩ−ＩＩＩ矢視断面図である。
【図４】（ａ）〜（ｃ）はグロメットインナのスリットを通して通過電線（裸電線）を挿入孔に入れる場合の作業工程図、（ｄ）は複数の電線が入った細径のチューブをスリットを通して挿入孔に入れる場合の作業図、（ｅ）は複数の電線が入った太径のチューブをスリットを通して挿入孔に入れる場合の作業図である。
【図５】グロメットインナの外周部にグロメットを嵌合してパネルの貫通孔に装着した状態を示す側面図である。
【図６】図５のＶＩ−ＶＩ矢視断面図である。
【図７】図５のＶＩＩ−ＶＩＩ矢視断面図である。
【図８】図６のＶＩＩＩ−ＶＩＩＩ矢視断面図である。
【図９】図６のＩＸ−ＩＸ矢視断面図である。
【図１０】図５のＸ−Ｘ矢視断面図である。
【符号の説明】
【００２４】
Ｐ  パネル
Ｐａ  貫通孔
１０  グロメットインナ
１１  周壁部
１２  コネクタの装着空間
１３  外側隔壁
１４  内側隔壁
１５  スリット
２０  通過電線の挿入孔
７０  グロメット
１００  コネクタ
３００  通過電線
【図１】
2007143371.tif 000003
【図２】
2007143371.tif 000004
【図３】
2007143371.tif 000005
【図４】
2007143371.tif 000006
【図５】
2007143371.tif 000007
【図６】
2007143371.tif 000008
【図７】
2007143371.tif 000009
【図８】
2007143371.tif 000010
【図９】
2007143371.tif 000011
【図１０】
2007143371.tif 000012